(57)【要約】【課題】  実際にボールなどを打ったときの衝撃力、打撃音、感触、臨場感を味わいながら、だれでも狭いスペースで筋力増強やヘッドスピードの強化ができる飽きのこないことに加え、常に安定したスイング軌道を得ることができ、これにより、下半身を使ったシャープなスイングを容易に体得することのできる素振り用練習器を提供する。【解決手段】  シャフト２と、シャフト２の基端部２ａに設けられたグリップ３と、シャフト２にその軸方向に沿って移動可能に設けられた打撃部材６と、シャフト２の先端部２ｂに設けられ打撃部材６の衝突により衝撃力ならびに打撃音を生じる被打撃部材５とを有する素振り用練習器１において、打撃部材６がシャフト２の先端部２ｂに移動した際に、グリップ側ＧＳとヘッド側との釣合を取るための釣合おもり４を設ける。【選択図】      図３
2005080912.tif 000002
【特許請求の範囲】
【請求項１】
シャフトと、前記シャフトの基端部に設けられたグリップと、前記シャフトにその軸方向に沿って移動可能に設けられた打撃部材と、前記シャフトの先端部に設けられ前記打撃部材の衝突により衝撃力ならびに打撃音を生じる被打撃部材とを有する素振り用練習器において、
前記打撃部材が前記シャフトの先端部に移動した際に、グリップ側とヘッド側との釣合を取るための釣合おもりが設けられていることを特徴とする素振り用練習器。
【請求項２】
前記釣合おもりが、前記打撃部材が前記シャフトの先端部に移動した際に、グリップ側の重さをヘッド側の重さより重くするように形成されていることを特徴とする請求項１に記載の素振り用練習器。
【請求項３】
前記シャフトの基端部に、この基端部の端面に開口する筒状の釣合おもり取付部を設け、この釣合おもり取付部に前記釣合おもりが取り付けられていることを特徴とする請求項１または請求項２に記載の素振り用練習器。
【請求項４】
前記釣合おもりの取付位置を調節可能な調節手段が設けられていることを特徴とする請求項１ないし請求項３のいずれか１項に記載の素振り用練習器。
【発明の詳細な説明】
【技術分野】
【０００１】
本発明は、野球、テニス、ゴルフ、卓球など打撃用具を使用してボールを打撃する球技の素振り練習をするため、あるいは、運動不足の解消のため、老若男女を問わずだれもがどこでも使用できる素振り用練習器に関するものである。
【背景技術】
【０００２】
一般に、野球、テニス、ゴルフ、卓球、剣道などの素振り練習は、単にバットやラケットといった打撃用具を振るのみであった。
【０００３】
しかしながら、前述した打撃用具を振るのみの素振り練習では、何の変化もなく単調であり、ボールなどを打ったときの衝撃力や打撃音あるいは臨場感が得られず、やっていてもすぐに飽きることが多かった。
【０００４】
そこで、前述した一般の打撃道具の欠点を除去し、実際にボールなどを打ったときの衝撃力、打撃音、感触、臨場感を味わいながら、だれでも狭いスペースで筋力増強やヘッドスピードの強化ができる飽きのこない素振り用練習器が提案されている（例えば、特許文献１参照）。
【０００５】
このような従来の素振り用練習器は、基端部をグリップとしたシャフトの先端部に被打撃部材を固着し、この被打撃部材およびグリップ間のシャフトに、被打撃部材との衝突により衝撃力ならびに打撃音の生じる打撃部材を摺動自在に嵌合することにより構成されており、グリップを把持して打撃部材をグリップの内端に接触させ、素振りすることにより、素振りにより生じる遠心力および慣性により打撃部材がシャフトに沿って先端に向かって移動して被打撃部材に衝突するが、素振りスピードが大きく、しかも素振りの軌跡が円弧に近いほど打撃部材が被打撃部材に衝突する際の衝撃が大きくなり、良好な衝撃力、打撃音、感触などを得ることができるというものである。
【０００６】
【特許文献１】特開平８−０２４３８６号公報
【発明の開示】
【発明が解決しようとする課題】
【０００７】
しかしながら、前述した従来の素振り用練習器においては、良好な衝撃力、打撃音、感触などを得ることができるものの、素振りによる遠心力および慣性によって打撃部材が先端に移動すると、素振り用バットのグリップ側である手元よりが軽くなるため、素振り用バットのヘッドが下がり、腕、肘などに負担がかかり、スイング軌道に狂い（ブレ）が生じ、フォームが崩れやすいという問題点があった。
【０００８】
そこで、実際にボールなどを打ったときの衝撃力、打撃音、感触、臨場感を味わいながら、だれでも狭いスペースで筋力増強やヘッドスピードの強化ができる飽きのこないことに加え、常に安定したスイング軌道を得ることができ、これにより、下半身を使ったシャープなスイングを容易に体得することのできる素振り用練習器が求められている。
【０００９】
本発明はこの点に鑑みてなされたものであり、実際にボールなどを打ったときの衝撃力、打撃音、感触、臨場感を味わいながら、だれでも狭いスペースで筋力増強やヘッドスピードの強化ができる飽きのこないことに加え、常に安定したスイング軌道を得ることができ、これにより、下半身を使ったシャープなスイングを容易に体得することのできる素振り用練習器を提供することを目的とする。
【課題を解決するための手段】
【００１０】
前述した目的を達成するため、特許請求の範囲の請求項１に係る本発明の素振り用練習器の特徴は、シャフトと、前記シャフトの基端部に設けられたグリップと、前記シャフトにその軸方向に沿って移動可能に設けられた打撃部材と、前記シャフトの先端部に設けられ前記打撃部材の衝突により衝撃力ならびに打撃音を生じる被打撃部材とを有する素振り用練習器において、前記打撃部材が前記シャフトの先端部に移動した際に、グリップ側とヘッド側との釣合を取るための釣合おもりが設けられている点にある。そして、このような構成を採用したことにより、グリップを把持して打撃部材をグリップの内端に接触させ、素振りすることにより、素振りにより生じる遠心力および慣性によって打撃部材がシャフトに沿って先端に移動して被打撃部材に衝突するが、素振りスピードが大きく、しかも素振りの軌跡が円弧に近いほど打撃部材が被打撃部材に衝突する際の衝撃が大きくなり、良好な衝撃力、打撃音、感触などを得ることができるとともに、素振りによる遠心力および慣性で打撃部材が先端に移動した際のグリップ側とヘッド側との釣合を容易に取ることができるので、素振り時にシャフトの手元より、すなわちグリップ側が軽くなるのを防止できる。
【００１１】
請求項２に係る本発明の素振り用練習器の特徴は、請求項１において、前記釣合おもりが、前記打撃部材が前記シャフトの先端部に移動した際に、グリップ側の重さをヘッド側の重さより重くするように形成されている点にある。
【００１２】
請求項３に係る本発明の素振り用練習器の特徴は、請求項１または請求項２において、前記シャフトの基端部に、この基端部の端面に開口する筒状の釣合おもり取付部を設け、この釣合おもり取付部に前記釣合おもりが取り付けられている点にある。
【００１３】
請求項４に係る本発明の素振り用練習器の特徴は、請求項１ないし請求項３のいずれか１項において、前記釣合おもりの取付位置を調節可能な調節手段が設けられている点にある。
【発明の効果】
【００１４】
請求項１に係る本発明の素振り用練習器によれば、実際にボールなどを打ったときの衝撃力、打撃音、感触、臨場感を味わいながら、だれでも狭いスペースで筋力増強やヘッドスピードの強化ができる飽きのこないことに加え、常に安定したスイング軌道を得ることができ、これにより、下半身を使ったシャープなスイングを容易に体得することができるなどの極めて優れた効果を奏する。
【００１５】
請求項２に係る本発明の素振り用練習器によれば、素振り時に、シャフトの手元よりを重くすることができるので、ヘッドが下がるのをより確実に防止することができるなどの極めて優れた効果を奏する。
【００１６】
請求項３に係る本発明の素振り用練習器によれば、釣合おもりを素振りの邪魔にならない部位に容易に配置することができるなどの極めて優れた効果を奏する。
【００１７】
請求項４に係る本発明の素振り用練習器によれば、素振りによる遠心力および慣性によって打撃部材が先端に移動した際のグリップ側とヘッド側との釣合いの微調整を容易に行うことができるなどの極めて優れた効果を奏する。
【発明を実施するための最良の形態】
【００１８】
以下、本発明を図面に示す実施形態により説明する。
【００１９】
図１から図６は本発明に係る素振り用練習器を適用した素振り用バットの第１実施形態を示すものであり、図１は全体構成の要部を示す概略外観斜視図、図２は図１の分解図、図３は図１のグリップ側を上方にして示す一部切断拡大正面図、図４は図３のグリップ部分の一部切断拡大正面図、図５は図３の目盛部分の拡大半断面正面図、図６は釣合おもりの取付位置の調節例を示す図３と同様の図である。
【００２０】
本実施形態の素振り用バットは、野球の素振り用バットを例示している。
【００２１】
図１から図３に示すように、本実施形態の素振り用練習器としての野球の素振り用バット１は、ほぼ直線状に形成されたシャフト２を有している。このシャフト２の図１の左斜め下方（図３の上方）に示す基端部２ａ（図３）にはグリップ３および釣合おもり４が設けられており、シャフト２の図１の右斜め上方（図３の下方）に示す先端部２ｂ（図３）には被打撃部材５が設けられている。また、シャフト２の外周のグリップ３と被打撃部材５との間には、シャフト２の外周を軸方向に沿って移動可能とされた打撃部材６が設けられている。そして、素振り用バット１は、シャフト２の基端部２ａ側である図１の左斜め下方（図３の上方）が、使用者が素振りを実行する際に、使用者が握る部分となるグリップ側ＧＳとされており、シャフト２の先端部２ｂ側である図１の右斜め上方（図３の下方）が、グリップ側ＧＳに対して反対側に位置するヘッド側ＨＳとされている。
【００２２】
本実施形態のシャフト２は、ステンレスパイプのような剛性の大きな材料により、例えば外径が１９ｍｍ程度、肉厚が１ｍｍ程度、長さが１ｍ程度の筒状に形成されている。そして、図４に詳示するように、シャフト２のグリップ側ＧＳに位置する基端部２ａの外周は、グリップ３を取り付けるためのグリップ取付部７とされており、シャフト２の内孔２ｃの基端部２ａは、釣合おもり４を取り付けるための釣合おもり取付部８とされている。
【００２３】
すなわち、シャフト２の内孔２ｃの基端部２ａにより、基端部２ａの端面に開口する筒状の釣合おもり取付部８が形成されている。
【００２４】
前記シャフト２の基端部２ａの近傍には、図４に詳示するように、グリップ３および釣合おもり４をシャフト２に固定する固定ピン９を取り付けるための一対の取付孔１０が、シャフト２を径方向に貫通するように、かつ同軸上に形成されている。なお、固定ピン９の代わりに固定ボルトを用いてもよい。この場合、一対の取付孔１０のうちの一方を固定ボルトが挿通可能な貫通孔とし、他方を固定ボルトが螺合可能なねじ孔とするとよい。また、前記シャフト２のヘッド側ＨＳに位置する先端部２ｂには、図２および図３に示すように、シャフト２の外径より大径のフランジ１１が周設されている。
【００２５】
なお、シャフト２の形状、サイズ、重量および材料などは、素振り用練習器の仕様や設計コンセプトなどの必要に応じて設定すればよい。例えば、シャフト２の形状を、ヘッド側ＨＳを有底とする有底筒状としてもよい。
【００２６】
図３および図４に示すように、前記グリップ３は、シャフト２の基端部２ａの外周を被覆するように、シャフト２のグリップ取付部７に装着されている。本実施形態のグリップ３は、図４に詳示するように、シャフト２の外径より大径とされたほぼ筒状のグリップ本体１２と、このグリップ本体１２のグリップ側ＧＳに、外向きフランジ状に形成されたグリップエンド１３とを有している。そして、グリップ本体１２の外周には、図１に示すように、滑り止め用のテープ１４が巻回されている。また、グリップエンド１３には、図４に詳示するように、グリップ３をシャフト２に固定する際に用いる固定ピン９が挿通される一対の貫通孔１５が、グリップエンド１３を径方向に貫通するように、かつ同軸上に形成されている。
【００２７】
前記グリップ３の材料としては、素振り用練習器の仕様や設計コンセプトなどの必要に応じて、木材、金属、樹脂およびゴムなどの各種のものから選択することができる。本実施形態のグリップ３は、木材を加工することにより形成されている。
【００２８】
なお、グリップ３の形状、サイズ、重量、シャフト２への取付方法などは、素振り用練習器の仕様や設計コンセプトなどの必要に応じて設定すればよい。例えば、シャフト２のグリップ側ＧＳの外周にテープ１４を巻回することで、シャフト２のグリップ側ＧＳの外周を直接グリップ３とする構成としてもよい。また、グリップ３のシャフト２への取付方法としては、溶接あるいは接着剤を用いた接合を用いてもよい。
【００２９】
前記釣合おもり４は、素振り時に、素振りによる遠心力および慣性によって打撃部材６が先端に移動した際の素振り用バット１のグリップ側ＧＳとヘッド側ＨＳとの釣合い（バランス）をとるためのものであり、図３および図４に示すように、シャフト２の内孔２ｃの基端部２ａ、すなわち基端部２ａの開口を閉塞するように、シャフト２の釣合おもり取付部８に取り付けられている。本実施形態の釣合おもり４は、シャフト２の内孔２ｃの内径より小径とされたほぼ棒状のおもり本体１６と、このおもり本体１６のグリップ側ＧＳに外向きフランジ状に形成され、かつ外径がシャフト２の外径より大径とされたおもりストッパ１７とを有している。また、おもり本体１６には、図４に詳示するように、釣合おもり４をシャフト２に固定する際に用いる固定ピン９が挿通される複数、本実施形態においては３つの挿通孔１８，１９，２０がおもり本体１６の軸方向に沿って所定の間隔をおいて整列配置されている。なお、３つの挿通孔１８，１９，２０およびその間隔は、誇張して図示してある。また、挿通孔１８，１９，２０の数および間隔などは、素振り用練習器の仕様や設計コンセプトなどの必要に応じて設定すればよい。
【００３０】
前記釣合おもり４のおもり本体１６は、シャフト２の内孔２ｃのグリップ側ＧＳの開口端からシャフト２の内部に挿入され、シャフト２の基端部２ａの内孔２ｃに設けられた釣合おもり取付部８に装着されているとともに、３つの挿通孔１８，１９，２０うちのいずれか１つに挿入される固定ピン９によってシャフト２に固定されている。例えば、図４に示すように、初期状態においては、最もグリップ側ＧＳに配置されている挿通孔１８に固定ピン９が挿入されている。
【００３１】
本実施形態の釣合おもり４は、固定ピン９が挿入される挿通孔１８，１９，２０を選択することにより、シャフト２に対する釣合おもり４の取付位置をシャフト２の軸方向に沿って変更可能とされている。
【００３２】
但し、本実施形態の釣合おもり４は、固定ピン９を３つの挿通孔１８，１９，２０のうちのいずれに入れた場合であっても、素振り時の素振りの遠心力および慣性によって打撃部材６がシャフト２の先端に移動した際に、素振り用バット１のグリップ側ＧＳの重さをヘッド側ＨＳの重さより重くすることができるように形成されている。
【００３３】
前記固定ピン９および釣合おもり４のおもり本体１６に形成された複数の挿通孔１８，１９，２０により、本実施形態の釣合おもり４の取付位置を調節可能な調節手段２１が構成されている。
【００３４】
なお、調節手段２１としては、本実施形態の固定ピン９および釣合おもり４のおもり本体１６に形成された複数の挿通孔１８，１９，２０による構成に限定されるものではなく、例えば、おもり本体１６をシャフト２のグリップ側ＧＳの内孔２ｃに螺合させ、おもり本体１６の軸方向の位置をシャフト２の内孔２ｃに対するおもり本体１６の螺入量によって無段階に調節するとともに、おもり本体１６のおもりストッパ１７側に配置した固定ナットにより、おもり本体１６の軸方向の固定位置を設定する構成などのシャフト２に対する釣合おもり４の取付位置をシャフト２の軸方向に調節することのできる構成であればよい。
【００３５】
前記釣合おもり４の材料としては、素振り用練習器の仕様や設計コンセプトなどの必要に応じて、木材、金属、樹脂およびゴムなどの各種のものから選択することができる。本実施形態の釣合おもり４は、金属を加工することにより形成されている。
【００３６】
また、釣合おもり４の形状、サイズ、重量などは、素振り用練習器の仕様や設計コンセプトなどの必要に応じて設定すればよい。例えば、内部を空洞にして比重の大きい鉛などを封入する構成としてもよい。但し、前述したように、素振り時に、素振り用バット１のグリップ側ＧＳの重さをヘッド側ＨＳの重さより重くすることが肝要である。
【００３７】
図３に示すように、前記被打撃部材５は、シャフト２の先端に周設されたストッパとして機能するシャフト２の外径より大径のフランジ１１に保持されている。この被打撃部材５は、金属、木あるいは樹脂などにより形成された円筒形状をなすものであり、この被打撃部材５の中心孔２２は、グリップ側ＧＳに配置された小径孔２２ａと、ヘッド側ＨＳに配置された大径孔２２ｂとが段部２２ｃによって接続された段付き孔とされている。さらに、小径孔２２ａは、シャフト２の外径とほぼ等しく形成されており、大径孔２２ｂは、フランジ１１の外径とほぼ等しく形成されている。そして、段部２２ｃにシャフト２のフランジ１１を当接するようにして中心孔２２の小径孔２２ａからシャフト２を外部に延在させることにより、被打撃部材５が、シャフト２の先端部２ｂに保持されている。また、中心孔２２の大径孔２２ｂは、この大径孔２２ｂ内に密に嵌合された栓体２３により封止されている。本実施形態の被打撃部材５は、木材を加工することにより形成されている。
【００３８】
なお、被打撃部材５の材質を選択したり、内部を空洞にして水や空気を封入することにより、打撃部材６の打撃により種々の打撃音を生じさせることができる。
【００３９】
前記打撃部材６は、ゴムあるいは樹脂などによりある程度の重量を有するように形成され円筒形状をなすものであり、図３に示すように、シャフト２に摺動自在に遊嵌されている。この打撃部材６の中心孔２４の内径は、シャフト２の外径よりも若干大径とされており、打撃部材６がシャフト２に沿って自由に移動できるようになっている。そして、打撃部材６が高速で被打撃部材５に衝突すると、シャフト２に衝撃力が伝達されるとともに、打撃音が生じることになる。
【００４０】
図３に示すように、前記シャフト２の外周のグリップ３の近傍には、被打撃部材５のグリップ側ＧＳに位置する内端面５ａを移動最終端とする打撃部材６のシャフト２に沿っての移動範囲を調節するためのストッパ２５がシャフト２に移動調節可能に固定されるようになっている。また、シャフト２の表面には、ストッパ２５の固定位置を選択するための目盛２６が形成されている。この目盛２６は、図５に詳示するように、野球における投手の球速を表示しており、被打撃部材５からストッパ２５までの距離が大きくなるにつれて球速が増大するような目盛線の表示とされている。これは、被打撃部材５からストッパ２５までの距離が大きくなると、打撃部材６の加速度も増大するため打撃部材６が被打撃部材５に衝突する際の衝撃が大きくなり、あたかも、高速のボールを打ったような感触となるからである。また目盛線の表示のうちの所定位置には球速を表す数値が添えられている。
【００４１】
前記ストッパ２５は、図５に示すように、金属あるいは樹脂などにより形成されシャフト２に嵌合可能な円筒形状に形成されており、このストッパ２５の中心孔２７の内径は、シャフト２の外径よりも多少大径とされており、ストッパ２５がシャフト２に沿って自由に移動できるようになっている。また、このストッパ２５には、その半径方向に延在するねじ孔２８が形成されており、このねじ孔２８に螺合されている止めねじ２９を螺入させてシャフト２の表面に圧接することによりストッパ２５をシャフト２上の任意の位置に固定することができるようになっている。このとき、ストッパ２５のヘッド側ＨＳに位置する外端面３０と合致する目盛２６の目盛線が相当する球速とされている。
【００４２】
なお、ストッパ２５のヘッド側ＨＳの外端面３０に、打撃部材６を当接させた際に、打撃部材６が自重により移動するのを防止するための一時的に保持可能な保持部材、例えばマグネットを設ける構成としてもよい。この場合、打撃部材６の少なくともグリップ側ＧＳの端面を磁力によって吸着可能な吸着片によって形成することが肝要である。さらに、マグネットの磁力としては、ストッパ２５に吸着保持させた打撃部材６が、素振り時によって、抵抗を感じることなく、ストッパ２５から速やかに離脱する程度とすることが好ましい。
【００４３】
また、ストッパ２５としては、軸方向に伸縮可能な構成などの多種多様の構成から選択使用することができる。
【００４４】
本実施形態の素振り用バット１を組み立てるには、図２に示すように、シャフト２をその基端部２ａ側から被打撃部材５に挿通し、被打撃部材５の段部２２ｃがフランジ１１に当接したら、被打撃部材５の大径孔２２ｂを栓体２３により封止する。ついで、シャフト２をその基端部２ａ側から打撃部材６およびストッパ２５にそれぞれに挿通したうえで、シャフト２の基端部２ａの外周にグリップエンド１３、内孔２ｃに釣合おもり４をそれぞれ装着し、グリップエンド１３および釣合おもり４の両者を、固定ピン９で固定し、シャフト２のグリップ３４にテープ１４を巻回すればよい。
【００４５】
つぎに、前述した構成からなる本実施形態の作用について説明する。
【００４６】
本実施形態の素振り用バット１によれば、例えば、打撃部材６の重量を８００ｇとし、ストッパ２５を時速１５０ｋｍの位置に固定し、グリップ３を把持して打撃部材６をストッパ２５に接触させ、大きなヘッドスピードで素振りすることにより、素振りにより発生する遠心力および慣性によって打撃部材６がシャフト２に沿って移動して被打撃部材５に衝突するが、このとき、時速１５０ｋｍのボールを打ったときと同様な衝撃力が腕に伝達されるとともに、大きな打撃音が発生し、臨場感が得られる。
【００４７】
また、投手の送球のコースを想定して素振り用バット１を振ると、送球のコースによって、振りやすいコースと振りにくいコースがあり、振りやすいコースにおいてはヘッドスピードが増大するのに対し、振りにくいコースおいてはヘッドスピードが減少するので、投手の送球のコースに応じて異なる感触を得ることができる。
【００４８】
このように本実施例の素振り用バット１によれば、ストッパ２５により設定した球速に応じた良好な衝撃力、打撃音、感触などを得ることができる。なお、ストッパ２５を設けなくとも、ヘッドスピードの大小に応じた衝撃力、打撃音、感触などを得ることができることはもちろんである。
【００４９】
さらに、本実施形態の素振り用バット１によれば、素振りによる遠心力および慣性によって、打撃部材６が先端に移動した際のシャフト２の基端部２ａ側と先端部２ｂ側との釣合い、すなわち素振り用バット１のグリップ側ＧＳとヘッド側ＨＳとの釣合いを容易に取ることができるので、素振り時に、シャフト２の手元よりが軽くなるのを防止できる。その結果、素振り時に、シャフト２の手元よりが軽くなることで、ヘッドが下がり、腕、肘などに負担がかかり、スイング軌道に狂い（ブレ）が生じ、フォームが崩れやすいという不都合を容易かつ確実に防止することができる。
【００５０】
したがって、本実施形態の素振り用バット１によれば、実際にボールなどを打ったときの衝撃力、打撃音、感触、臨場感を味わいながら、だれでも狭いスペースで筋力増強やヘッドスピードの強化ができる飽きのこないことに加え、常に安定したスイング軌道を得ることができ、これにより、ヘッドが下がらず、手打ちではなく、自然に脇が締まり下半身を使ったシャープなスイングを容易に体得することができる。
【００５１】
また、本実施形態の素振り用バット１によれば、釣合おもり４が、打撃部材６がシャフト２の先端部２ｂに移動した際に、シャフト２の基端部２ａ側である素振り用バット１のグリップ側ＧＳの重さを、シャフト２の先端部２ｂ側である素振り用バット１のヘッド側ＨＳの重さより重くするように形成されているので、素振り時にシャフト２の手元よりが軽くなるのをより確実に防止することができる。
【００５２】
また、本実施形態の素振り用バット１によれば、素振り用バット１のグリップ側ＧＳに位置するシャフト２の基端部２ａに、この基端部２ａの端面に開口する筒状の釣合おもり取付部８を設け、この釣合おもり取付部８に釣合おもり４が取り付けられているので、釣合おもり４をシャフト２の内孔２ｃの基端部２ａ、すなわち素振りの邪魔にならない部位に容易に配置することができる。
【００５３】
また、本実施形態の素振り用バット１によれば、釣合おもり４の取付位置を調節可能な調節手段２１が設けられているので、素振りによる遠心力および慣性で打撃部材６が先端に移動した際のシャフト２の基端部２ａ側である素振り用バット１のグリップ側ＧＳと、シャフト２の先端部２ｂ側である素振り用バット１のヘッド側ＨＳとの釣合いの微調整を容易に行うことができる。
【００５４】
すなわち、本実施形態の素振り用バット１は、釣合おもり４のおもり本体１６に形成された３つの挿通孔１８，１９，２０のいずれに固定ピン９を挿入するかという簡単な操作により、釣合おもり４の取付位置を容易に調節することができる。これにより、素振り用バット１のグリップ側ＧＳとヘッド側ＨＳとの釣合いの微調節を容易に行うことができる。
【００５５】
例えば、素振り時に、グリップ側ＧＳが軽く感じる場合には、釣合おもり４の取付位置を調節する。すなわち、図４に示す最もグリップ側ＧＳの挿通孔１８に挿入されている固定ピン９を取り外し、釣合おもり４をグリップ側ＧＳに移動して、図６の調節例に示すように、最もヘッド側ＨＳの挿通孔２０に固定ピン９を挿入することにより、グリップ側ＧＳを図４に示す状態より重くすることができる。
【００５６】
このように、本実施形態の素振り用バット１の調節手段２１によれば、素振り用バット１のグリップ側ＧＳとヘッド側ＨＳとの釣合いの微調整を行うことができるので、素振のフィーリングを使用者の体格や好みなどに応じて設定することができる。
【００５７】
図７および図８は本発明に係る素振り用練習器を素振り用バットに適用した第２実施形態を示すものであり、図７はシャフトの目盛部分の拡大半断面正面図、図８はストッパ部分の拡大半断面正面図である。
【００５８】
本実施形態の素振り用バット３４は、前述した第１実施形態の素振り用バット１に使用されていたストッパ１４と異なるストッパ３５を用いたものである。
【００５９】
本実施形態においては、ストッパ３５の移動し得る範囲のシャフト２の表面には、図７に示すようにシャフト２の長手方向に沿って細長い長方形状の凹部３６がシャフト２の表面の肉を削落することにより形成されており、この凹部３６内の表面には、ストッパ３５の固定位置を選択するための目盛２６が形成されている。
【００６０】
一方、ストッパ３５の移動し得る範囲のシャフト２の表面には、凹部３６内を除いて雄ねじ部３７が刻設されており、ストッパ３５は、雄ねじ部３７に螺合する雌ねじ部３８が中心孔３９内に刻設されている円筒形状のボルト４０を有している。このボルト４０の外周側には、軸方向に間隔を隔てたローレット加工が施されている大径の回転操作部４１と、小径の雄ねじ部４２とが軸方向に間隔を隔てて形成されている。
【００６１】
前記ストッパ３５はナット４３を有しており、このナット４３の中心孔４４は、前記シャフト２の雄ねじ部３７に螺合する第１雌ねじ部４５と、この第１雌ねじ部４５と同軸的に段部４６を介して連設されボルト４０の雄ねじ部４２に螺合する第２雌ねじ部４７とにより構成されている。このナット４３の外周側には、ボルト４０の回転操作部４１と同径とされローレット加工が施されている回転操作部４８が形成されている。
【００６２】
前記ナット４３の中心孔４４内には、段部４６および第２雌ねじ部４７とボルト４０の先端面４９とにより囲繞されている環状空間５０が形成されており、この環状空間５０内には、樹脂あるいは金属などからなる２重環状弾性部材５１が配設されている。なお、その他の図示しない部分の構成は前述した第１実施形態の素振り用バット１と同様とされている。
【００６３】
このような構成によれば、ストッパ３５のナット４３をボルト４０から分離しておき、ナット４３の端縁５２をシャフト２の凹部３６内の所望の目盛２６に合わせたうえで、ボルト４０をナット４３に近接する方向に螺進せしめ、ボルト４０の雄ねじ部４２をナット４３の第２雌ねじ部４７に螺合する。そして、ボルト４０の先端面４９が前記環状空間５０内の２重環状弾性部材５１を撓ませるようにボルト４０とナット４３とを一体化させる。すると、この撓んでいる２重環状弾性部材５１が蓄えているばね力によりボルト４０とナット４３は相互に離間する方向の力を受けることになり、ボルト４０とナット４３は積極的に回転駆動しない限りそれぞれの位置にとどまることになる。
【００６４】
したがって、本実施形態の素振り用バット３４のストッパ３５の構成によれば、前述第１実施形態の素振り用バット１のストッパ１４と異なり、シャフト２の表面に止めねじ２９による傷をつけることなくストッパ３５をシャフト２上の所定の位置において停止させることができる。
【００６５】
なお、本発明は、前述した各実施形態に限定されるものではなく、必要に応じて種々の変更が可能である。例えば、各実施形態においては、野球用のものを説明したが、テニスや卓球のラケット、ゴルフのクラブ、剣道の竹刀、木刀などに近似した形状に形成することも可能である。
【図面の簡単な説明】
【００６６】
【図１】本発明に係る素振り用練習器の第１実施形態の全体構成の要部を示す概略外観斜視図
【図２】図１の分解図
【図３】図１のグリップ側を上方にして示す一部切断拡大正面図
【図４】図３のグリップ部分の一部切断拡大正面図
【図５】図３の目盛部分の拡大半断面正面図
【図６】釣合おもりの取付位置の調節例を示す図３と同様の図
【図７】本発明に係る素振り用練習器を素振り用バットに適用した第２実施形態の目盛部分の拡大半断面正面図
【図８】ストッパ部分の拡大半断面正面図
【符号の説明】
【００６７】
１、３４  素振り用バット
２  シャフト
２ａ  基端部
２ｂ  先端部
２ｃ  内孔
３  グリップ
４  釣合おもり
５  被打撃部材
６  打撃部材
７  グリップ取付部
８  釣合おもり取付部
９  固定ピン
１８、１９、２０  挿通孔
２１  調節手段
２５、３５  ストッパ
【図１】
2005080912.tif 000003
【図２】
2005080912.tif 000004
【図３】
2005080912.tif 000005
【図４】
2005080912.tif 000006
【図５】
2005080912.tif 000007
【図６】
2005080912.tif 000008
【図７】
2005080912.tif 000009
【図８】
2005080912.tif 000010